(57)【要約】【課題】アンテナを用いて通信を行う携帯通信装置に関し、装置本体の回路がアンテナに与える影響を低減できる携帯通信装置を提供することを目的とする。【解決手段】本発明は、装置本体とアンテナとを有する携帯通信装置において、アンテナと前記装置本体とを接続する接続手段を有し、接続手段によりアンテナを装置本体から離間して配置可能としたことを特徴とする。【選択図】図１
2007194842.tif 000002
【特許請求の範囲】
【請求項１】
装置本体とアンテナとを有する通信装置において、
前記アンテナと前記装置本体とを接続する接続手段を有し、
前記接続手段により前記アンテナを前記装置本体から離間して配置可能としたことを特徴とする通信装置。
【請求項２】
前記接続手段は、一端が前記装置本体に固定されていることを特徴とする請求項１記載の通信装置。
【請求項３】
前記接続手段は、一端が前記装置本体に着脱可能とされていることを特徴とする請求項１記載の通信装置。
【請求項４】
前記接続手段は、同軸ケーブルから構成されていることを特徴とする請求項１記載の通信装置。
【請求項５】
前記アンテナは、前記接続手段の他端に着脱可能とされていること特徴とする請求項２又は３記載の通信装置。
【請求項６】
前記アンテナは、誘電体基板と、
前記誘電体基板に形成された導電パターンから構成されたことを特徴とする請求項１記載の通信装置。
【請求項７】
前記アンテナに接続されて、回路定数のマッチングをとるマッチング回路を有することを特徴とする請求項１記載の通信装置。
【請求項８】
前記マッチング回路は、前記接続手段又は前記アンテナに着脱可能な構成とされていることを特徴とする請求項５記載の通信装置。
【請求項９】
前記マッチング回路は、使用時にマッチングがとれるように回路定数が設定されていることを特徴とする請求項５記載の通信装置。
【請求項１０】
装置本体とアンテナとを有する通信装置において、
前記アンテナを前記装置本体から延出させる延出機構を有し、
前記アンテナは、前記延出機構により前記装置本体から延出された状態で、前記装置本体から離間して配置されること特徴とする通信装置。
【請求項１１】
前記延出機構は、前記アンテナを回動させることにより前記装置本体から延出させることを特徴とする請求項１０記載の通信装置。
【請求項１２】
前記延出機構は、前記アンテナをスライドさせることにより前記装置本体から延出させることを特徴とする請求項１０記載の通信装置。
【請求項１３】
前記アンテナは、誘電体基板と、
前記誘電体基板に形成されたエレメントパターンと、
前記誘電体基板に形成された接地パターンとを有することを特徴とする請求項１０記載の通信装置。
【請求項１４】
前記アンテナは、エレメント部と、
接地部とを有し、
前記延出機構は、前記エレメント部をスライドさせることにより前記装置本体から延出させることを特徴とする請求項１０記載の通信装置。
【請求項１５】
前記アンテナは、エレメント部と、
接地部とを有し、
前記延出機構は、前記エレメント部を回転させることにより前記装置本体から延出させることを特徴とする請求項１０記載の通信装置。
【請求項１６】
前記装置本体にＵＳＢポートを有することを特徴とする請求項１乃至１３のいずれか一項記載の通信装置。
【発明の詳細な説明】
【技術分野】
【０００１】
本発明は通信装置に係り、特に、アンテナを用いて通信を行う通信装置に関する。
【背景技術】
【０００２】
近年、製品の省スペース化、ケーブルレス化により、無線技術の需要が高まってきた。さらに、データの大容量化により、高速転送技術が必要となってきた。そこで、近距離、大容量通信の可能性を秘めているＵＷＢ（ultra wide band）通信方式に注目が集まっている。
【０００３】
ＵＷＢ通信に用いられるアンテナは従来の狭帯域アンテナに比べて多周波数で共振しなければならないため、アンテナ面積が広い。このため、大きなスペースが必要となっている。また、アンテナに影響を与えないようにするために装置本体の回路からできるだけ離して使用する必要があった。
【発明の開示】
【発明が解決しようとする課題】
【０００４】
本発明は上記の点に鑑みてなされたもので、装置本体の回路がアンテナに与える影響を低減できる通信装置を提供することを目的とする。
【課題を解決するための手段】
【０００５】
本発明は、装置本体とアンテナとを有する携帯通信装置において、アンテナと前記装置本体とを接続する接続手段を有し、接続手段によりアンテナを装置本体から離間して配置可能としたことを特徴とする。
【発明の効果】
【０００６】
本発明によれば、接続手段によりアンテナを装置本体から離間して配置することにより、装置本体の回路からの影響を低減できる。
【発明を実施するための最良の形態】
【０００７】
〔第１実施例〕
図１は本発明の第１実施例の斜視図を示す。
【０００８】
本実施例の携帯通信装置１００は、例えば、ＰＤＡ、携帯電話機、携帯型パーソナルコンピュータなどのデータ通信を行う機器やテレビ放送、ラジオ放送などを受信する携帯テレビ、携帯ラジオであり、装置本体１１１側面からデータ通信及びテレビ放送、ラジオ放送の受信を行うためのアンテナ装置２００を接続するための接続手段１１２が延出されている。
【０００９】
図２は装置本体１１１の構成図を示す。
【００１０】
装置本体１１１は、回路基板１２１、表示装置１２２、通信ユニット１２３、電池パック１２４などがケース１２５に収納された構成とされている。
【００１１】
回路基板１２１には、ＣＰＵなどのＩＣチップ１３１や各種電子部品１３２、操作部を構成するキースイッチ１３３などが搭載されている。また、回路基板１２１には、表示装置１２２、通信ユニット１２３、電池パック１２４などに接続されており、電池パック１２４から供給される電源電圧により駆動されて、各種情報処理を行う。表示装置１２２は、回路基板１２１での処理された画像などを表示する。通信ユニット１２３は、高周波回路などが内蔵されており、回路基板１２１での処理データなどアンテナ装置２００を介して外部に送信したり、アンテナ装置２００で受信した電波を復調して、回路基板１２１に供給したりする。
【００１２】
接続手段１１２は、例えば、同軸ケーブルから構成されており、一端が通信ユニット１２４内部の回路基板に半田付けなどによって、固定されている。接続手段１１２の他端には、コネクタ１４１が一体的に設けられている。コネクタ１４１は、ＳＭＡ、ＢＮＣ、イヤフォンジャックなどのプラグ又はソケットコネクタから構成されており、アンテナ装置２００が着脱可能に接続される。
【００１３】
アンテナ装置２００は、例えば、アンテナ素子２１１及びコネクタ２１２から構成されている。
【００１４】
アンテナ素子２１１は、ワイヤアンテナ、ロッドアンテナ、ループアンテナ、ヘリカルアンテナを構成しており、給電線がコネクタ２１２に接続されている。コネクタ２１２は、ＳＭＡ、ＢＮＣ、イヤフォンジャックなどのプラグ又はソケットコネクタから構成されており、コネクタ１４１に対して着脱可能とされている。アンテナ装置２００は、コネクタ２１２により接続手段１１２に着脱可能に接続される。
【００１５】
本実施例によれば、同軸ケーブルからなる接続手段１１２を介してアンテナ装置２００を装置本体１１１に接続することができるため、アンテナ装置２００を装置本体１１１から離れた位置に配置でき、よって、装置本体１１１で発生するノイズの影響を受けずに無線通信を行うことができる。
【００１６】
また、コネクタ１４１とコネクタ２１２との結合力は十分に確保されており、アンテナ装置２００は携帯通信装置１００から容易に脱落しない構成とされている。これによって、携帯通信装置１００を携帯するためのストラップとしてアンテナ装置２００を用いることが可能である。
【００１７】
なお、このとき、アンテナ装置２００のマッチングは、使用環境を考慮して設定されている。
【００１８】
図３はアンテナ装置２００のマッチングを説明するための図を示す。
【００１９】
アンテナ装置２００を図３（Ａ）に示すようにストラップとして用いた場合には、アンテナ装置２００を図３（Ｂ）に実線で示すように所望の周波数にマッチングしてしまうと人の手２２０の影響により図３（Ｂ）に破線で示すように所望の周波数よりずれてしまう。そこで、図３（Ｂ）に一点鎖線で示すように人の手２２０の影響を考慮した特性となるようにマッチングをとっておくことにより、図３（Ｂ）に実線で示すような所望の周波数特性を獲得することが可能となる。
【００２０】
〔第１変形例〕
図４は本発明の第１実施例の第１変形例の構成図、図５はアンテナ装置２００の第１変形例の構成図を示す。同図中、図１、図２と同一構成部分には同一符号を付し、その説明は省略する。
【００２１】
本変形例のアンテナ装置３００は、アンテナ素子３１１、コネクタ２１２、３１２、３１３を有する構成とされている。
【００２２】
アンテナ素子３１１は、アンテナ素子２１１の中間部分を開放して、その先端にコネクタ３１２、３１３を取り付けた構造とされている。コネクタ３１２、３１３は、ＳＭＡ、ＢＮＣ、イヤフォンジャックなどのプラグ又はソケットコネクタから構成されており、図５に示すように一方がソケットコネクタ、他方がプラグコネクタであり、互いに装着脱可能な構造とされている。
【００２３】
図６〜図１１はアンテナ装置３００の適用例の構成図を示す。
【００２４】
アンテナ装置３００は、例えば、図６にアンテナ素子３１１のコネクタ３１３とコネクタ３１４とを接続することにより、ループアンテナとして機能する。
【００２５】
また、アンテナ装置３００は、図７に示すようにコネクタ３１２、３１３の間に通信周波数に応じた長さの延長アンテナ３２１を接続することにより通信状態を最適化することが可能となる。
【００２６】
延長アンテナ３２１は、アンテナ素子３３１、コネクタ３３２、３３３から構成されている。アンテナ素子３３１は、アンテナ素子３１１に接続されて、一つのアンテナとして作用する。コネクタ３３２、３３３は、ＳＭＡ、ＢＮＣ、イヤフォンジャックなどのプラグ又はソケットコネクタから構成されており、一方がソケットコネクタ、他方がプラグコネクタであり、コネクタ３１２、３１３に装着脱可能な構造とされている。
【００２７】
このとき、図８に示すように装置本体１１１に長さの異なる延長アンテナ３２１を格納する格納部３４１を設けるようにしてもよい。収納部３４１には、爪部３４２が設けられている。爪部３４２は、コネクタ３３２、３３３に係合して、延長アンテナ３２１を収納部３４１の内部に着脱可能に係止する。収納部３４１の開口部３４３には、カバー３４４が取り付けられる。
【００２８】
これによって、受信周波数などに応じて延長アンテナ３２１を収納部３４１から取り出して、アンテナ素子３１１に取り付けることによって最適な状態で通信を行うことができる。
【００２９】
さらに、図９に示すようにコネクタ３１２とコネクタ３１３との間にマッチング回路３５１を取り付けるようにしてもよい。マッチング回路３５１は、図１０に示すように回路基板３５２上にキャパシタやインダクタなどの電子部品３５３、及び、コネクタ３５４、３５５が搭載された構成とされており、収納ケース３５６に収納されている。
【００３０】
コネクタ３５４、３５５は、ＳＭＡ、ＢＮＣ、イヤフォンジャックなどのプラグ又はソケットコネクタから構成されており、一方がソケットコネクタ、他方がプラグコネクタであり、コネクタ３１２、３１３に装着脱な構成とされている。
【００３１】
マッチング回路３５１は、例えば、アンテナ素子３１１のコネクタ３１３とコネクタ３１４との間、アンテナ素子３１１と延長アンテナ３２１との間、あるいは、アンテナ素子３１１と接続手段１１２との間に接続される。これによって、アンテナ素子３１１のマッチングをとることができる。
【００３２】
これによって、使用環境に応じてマッチング回路３５１を取り替えることにより、通信状態を最適化できる。
【００３３】
このとき、図１１に示すように装置本体１１１に特性の異なるマッチング回路３５１を格納する格納部３６１を設けるようにしてもよい。収納部３６１には、爪部３６２が設けられている。爪部３６２は、コネクタ３５４、３５５に係合して、マッチング回路３５１を収納部３６１の内部に着脱可能に係止する。収納部３６１の開口部３６３には、カバー３６４が取り付けられる。
【００３４】
これによって、受信周波数などに応じてマッチング回路３５１を容易に取り替えることができ、常に最適な通信状態で通信を行うことができる。
【００３５】
また、マッチング回路３５１のケース３５６をぬいぐるみ、人形、アクセサリなどの形状として、意匠性を持たせることにより、携帯通信装置１００の意匠性を向上することも可能である。
【００３６】
〔第２変形例〕
図１２は本発明の第１実施例の第２変形例の斜視図、図１３は本発明の第１実施例の第２変形例の要部の斜視図を示す。同図中、図１、図２と同一構成部分には同一符号を付し、その説明は省略する。
【００３７】
本変形例の携帯通信装置４００は、例えば、ＰＤＡ、携帯電話機、携帯テレビ、携帯ラジオ、携帯型パーソナルコンピュータなどから構成されており、装置本体４１１側面にアンテナ装置２００を接続するためのコネクタ４１２が表出している。
【００３８】
コネクタ４１２は、ＳＭＡ、ＢＮＣ、イヤフォンジャックなどのプラグ又はソケットコネクタから構成され、通信ユニット１２４の回路基板に半田付けなどによって、固定されている。
【００３９】
本変形例の接続手段４２１は、一端にコネクタ４２２が一体に設けられている。コネクタ４２２は、例えば、ＳＭＡ、ＢＮＣ、イヤフォンジャックなどのプラグ又はソケットコネクタから構成され、装置本体４１１から表出したコネクタ４１２に装着脱可能とされている。
【００４０】
本変形例によれば、接続手段４２１を携帯通信装置４１１から取り外すことができる。
【００４１】
〔第３変形例〕
図１４は本発明の第１実施例の第３変形例の斜視図を示す。同図中、図１と同一構成部分には同一符号を付し、その説明は省略する。
【００４２】
本変形例のアンテナ装置５００は、アンテナ素子５１１がベルト６００に内蔵され、ベルト６００のバックル６１１にアンテナ素子５１１に接続手段１１２を接続するためのコネクタ５１２が設けられた構成とされている。なお、コネクタ５１２は、必ずしもバックル６１１に設ける必要はない。
【００４３】
〔第４変形例〕
図１５は本発明の第１実施例の第４変形例の斜視図を示す。同図中、図１と同一構成部分には同一符号を付し、その説明は省略する。
【００４４】
本変形例は、アンテナ装置７００をＵＷＢアンテナで構成した例を示す。
【００４５】
図１６はアンテナ装置７００の構成図を示す。
【００４６】
アンテナ装置７００は、誘電体基板７１１に導電パターン７１２を形成するとともに、コネクタ７１３を搭載し、ケース７１４に収納した構成とされている。導電パターン７１２は、エレメントパターン７２１、接地パターン７２２、ストリップライン７２３、コネクタ７２４から構成されている。
【００４７】
エレメントパターン７２１は、誘電体基板７１１の表面の略半面に亘って形成されている。接地パターン７２２は、誘電体基板７１１の裏面のエレメントパターン７１１とは反対側の半面に形成されている。エレメントパターン７１１は、例えば、接地パターン７２２に対向する端部が扇状に形成されており、端部が接地パターン７２２の端部に所定の角度を持って対向する形状とされている。なお、エレメントパターン７１１は、ＵＷＢ通信が可能であれば上記形状に限定されることはない。
【００４８】
ストリップライン７２３は、誘電体基板７１１の表面のエレメントパターン７２１の扇状の頂点部分から接地パターン７２２に対向する半面に延出されており、エレメントパターン７２１に給電を行なう。
【００４９】
コネクタ７１３は、接地パターン７２２及びストリップライン７２３の他端に半田付けされて、誘電体基板７１１に端部に固定されている。
【００５０】
本変形例によれば、接続手段１１２によりアンテナ装置７００を装置本体１１１から離れた位置に配置できるため、ＵＷＢ通信を装置本体１１１の影響を受けずに行うことができる。
【００５１】
なお、ケース７１４をぬいぐるみ、人形、アクセサリなどの形態として、意匠性を持たせることにより、携帯通信装置１００の意匠性を向上することも可能である。
【００５２】
〔第５変形例〕
図１７は本発明の第１実施例の第５変形例の斜視図を示す。同図中、図１、図２と同一構成部分には同一符号を付し、その説明は省略する。
【００５３】
本変形例は、装置本体８１１に接続手段１１２を巻き取る巻取機構８１２を有する構成とされている。
【００５４】
巻取機構８１２は、例えば、巻取部８２１及び巻取レバー８２２から構成されており、接続手段１１２を装置本体８１１の内部に巻き取ることが可能とされている。通信を行わないときには、巻取機構８１２により接続手段１１２を装置本体８１１の内部に巻き取ることができる。
【００５５】
〔第２実施例〕
図１８は本発明の第２実施例の斜視図、図１９は装置本体９１２の斜視図を示す。同図中、図１、図２と同一構成部分には同一符号を付し、その説明は省略する。
【００５６】
本実施例の携帯通信装置９００は、装置本体１１１にアンテナ装置９１１を内蔵した構成とされている。アンテナ装置９１１は、図１６に示すアンテナ装置７００と略同じ構成とされており、スライド機構９１３により装置本体１１１からスライドさせて外部引き出すことが可能な構成とされている。
【００５７】
スライド機構９１３は、ガイド溝９２１、延出開口部９２２を有する。ガイド溝９２１は、アンテナ装置９１１の側端面に摺動可能に係合しており、アンテナ装置９１１を矢印Ａ方向に摺動可能にガイドする。このとき、アンテナ装置９１１とガイド溝９２１とは所定の摩擦力を有する。この摩擦力によって、アンテナ装置９１１は、所望のスライド位置で係止される。アンテナ装置９１１は、先端部に引き出しつまみ９３１を有する。引き出しつまみ９３１は、延出開口部９２２からケース外部に延出している。
【００５８】
ユーザは、ケースから延出している引き出しつまみ９３１を把持して、矢印Ａ１方向に引き出すことによりアンテナ装置９１１をケース外部に引き出すことができる。
【００５９】
〔第１変形例〕
図２０は携帯通信装置９００の第１変形例の構成図を示す。同図中、図１８、図１９と同一構成部分には同一符号を付し、その説明は省略する。
【００６０】
本変形例の携帯通信装置１０００は、装置本体１１１にバネ１０２１、係止機構１０２２を設けた構成とされている。
【００６１】
バネ９２１は、ケース８１２の内部に設けられており、アンテナ装置９１１を矢印Ａ１方向に押圧している。係止機構９２２はアンテナ装置９１１の側部に設けられた爪部１０３１、及び、装置本体１１１に設けられ、爪部１０３１に係合して、アンテナ装置９１１をバネ１０２１の付勢力に抗してケース８１２の内部に係止する係止部１０３２から構成されている。
【００６２】
係止部９３２は、爪部９３１に係合する係合部９４１及び係合部９４１と爪部９３１との係合を解除する操作ボタン９４２を有する。
【００６３】
ユーザは操作ボタン９４２を操作することにより、係合部９４１と爪部９３１との係合が解除されてアンテナ装置９１１がバネ９２１の付勢力によって矢印Ａ１方向に押し出され、延出開口部９２２から外部に延出する。
【００６４】
本変形例によれば、操作ボタン９４２の操作によって自動的にアンテナ装置９１１を外部に延出させることができる。
【００６５】
〔第２変形例〕
図２１は携帯通信装置９００の第２変形例の構成図を示す。同図中、図２０と同一構成部分には同一符号を付し、その説明は省略する。
【００６６】
本変形例の携帯通信装置１１００は、アンテナ装置１１１１を接地部１１２１及びエレメント部１１２２から構成し、収納時は、エレメント部１１２２を接地部１１２１に重ねて配置し、アンテナを延出させるときには、エレメント部１１２２を矢印Ａ方向にスライドさせる構成とされている。
【００６７】
本変形例によれば、収納時には、エレメント部１１２２が接地部１１２１に重なるため、省スペース化が可能となる。また、エレメント部１１２２は、接地部１１２１に比べて面積が小さくて済むので、エレメント部１１２２のみを装置本体１１１から延出させることにより、装置本体１１１から突出部分を小さくできる。
【００６８】
〔第３実施例〕
図２２は本発明の第３実施例の斜視図を示す。同図中、図１７と同一構成部分には同一符号を付し、その説明は省略する。
【００６９】
本実施例の携帯通信装置１２００は、携帯通信装置９００と同様にアンテナ装置９１１が装置本体１１１に内蔵された構造とされており、回動機構１２１１によりアンテナ装置９１１を回動させることによりアンテナ装置９１１を装置本体１２１１から外部に延出可能な構成とされている。
【００７０】
回動機構１２１１は、アンテナ装置９１１に植設されたピン１２２１及び通信ユニット１２３に設けられピン１２２１が回転自在に挿入されるレセプタクル１２２２から構成されている。ピン１２２１及びレセプタクル１２２２は、装置本体１１１の上部に設けられている。
【００７１】
装置本体１１１は、側面から上面にわたってアンテナ装置９１１を延出させる延出開口部１１２３が設けられている。アンテナ装置９１１の側端部には、引き出しつまみ１１２４が設けられている。引き出しつまみ１２２４は、装置本体１１１の延出開口部１２２３から外部に延出されている。
【００７２】
ユーザが延出つまみ１２２４を矢印θ方向に引っ張ることにより、アンテナ装置９１１がピン１２２１を中心に矢印θ方向に回動して、装置本体１１１の外部に引き出される。
【００７３】
〔変形例〕
図２３は本発明の第３実施例の変形例の構成図を示す。同図中、図２２と同一構成部分には同一符号を付し、その説明は省略する。
【００７４】
本変形例の携帯通信装置１３００は、アンテナ装置１３１１を接地部１３２１及びエレメント部１３２２から構成し、ピン１２２１及びレセプタクル１２２２によりエレメント部１３２２を回動自在に構成したものである。アンテナ装置１３１１は、収納時は、エレメント部１３２２を接地部１３２１に重ねて配置し、アンテナを延出させるときには、エレメント部１３２２を矢印θ方向に回転させる構成とされている。
【００７５】
本変形例によれば、収納時には、エレメント部１３２２が接地部１３２１に重なるため、省スペース化が可能となる。
【００７６】
なお、携帯通信装置は、ＵＳＢ、ＩＥＥＥ１３９４ポートに接続されて用いられる通信モジュールを内蔵したドングルなどであってもよい。
【図面の簡単な説明】
【００７７】
【図１】本発明の第１実施例の斜視図である。
【図２】装置本体１１１の分解斜視図である。
【図３】アンテナ装置２００のマッチングを説明するための図である。
【図４】本発明の第１実施例の第１変形例の構成図である。
【図５】アンテナ装置２００の第１変形例の構成図である。
【図６】アンテナ装置３００の適用例の構成図である。
【図７】アンテナ装置３００の適用例の構成図である。
【図８】アンテナ装置３００の適用例の構成図である。
【図９】アンテナ装置３００の適用例の構成図である。
【図１０】アンテナ装置３００の適用例の構成図である。
【図１１】アンテナ装置３００の適用例の構成図である。
【図１２】本発明の第１実施例の第２変形例の斜視図である。
【図１３】本発明の第１実施例の第２変形例の要部の斜視図である。
【図１４】本発明の第１実施例の第３変形例の斜視図である。
【図１５】本発明の第１実施例の第４変形例の斜視図である。
【図１６】アンテナ装置７００の構成図である。
【図１７】本発明の第１実施例の第５変形例の斜視図である。
【図１８】本発明の第２実施例の斜視図である。
【図１９】装置本体９１２の斜視図である。
【図２０】携帯通信装置９００の第１変形例の構成図である。
【図２１】携帯通信装置９００の第２変形例の構成図である。
【図２２】本発明の第３実施例の斜視図である。
【図２３】本発明の第３実施例の変形例の構成図である。
【符号の説明】
【００７８】
１００  携帯通信装置、２００  アンテナ装置
１１１  装置本体、１１２  接続手段
【図１】
2007194842.tif 000003
【図２】
2007194842.tif 000004
【図３】
2007194842.tif 000005
【図４】
2007194842.tif 000006
【図５】
2007194842.tif 000007
【図６】
2007194842.tif 000008
【図７】
2007194842.tif 000009
【図８】
2007194842.tif 000010
【図９】
2007194842.tif 000011
【図１０】
2007194842.tif 000012
【図１１】
2007194842.tif 000013
【図１２】
2007194842.tif 000014
【図１３】
2007194842.tif 000015
【図１４】
2007194842.tif 000016
【図１５】
2007194842.tif 000017
【図１６】
2007194842.tif 000018
【図１７】
2007194842.tif 000019
【図１８】
2007194842.tif 000020
【図１９】
2007194842.tif 000021
【図２０】
2007194842.tif 000022
【図２１】
2007194842.tif 000023
【図２２】
2007194842.tif 000024
【図２３】
2007194842.tif 000025